(57)【特許請求の範囲】
【請求項１】
並設された複数の内部電極と該複数の内部電極にそれぞれ導通する内部電極引き出し部とを同一表面に備える誘電体シートを複数積層してなる略直方体形状の素体の互いに対向する両側面に、積層された前記複数の内部電極引き出し部を積層方向に交互に導通するように、それぞれ前記積層方向に延設された外部電極対を形成することにより各単位コンデンサを構成し、３個以上の単位コンデンサを前記内部電極の配列方向に配列してなるコンデンサアレイにおいて、
前記３個以上の単位コンデンサは、前記内部電極同士が前記誘電体シートを挟んで対向する面積が異なることにより相違する、二種以上の静電容量を含み、
これら単位コンデンサのうち、静電容量の同じ単位コンデンサ同士が、前記配列方向に垂直で、且つ前記素体の中心を通る面に対して、面対称となる位置に配置され、
各前記誘電体シートでは、前記配列方向に垂直で且つ前記素体の中心を通る面に対して面対称に、各単位コンデンサを構成する各内部電極が配置されていることを特徴とするコンデサアレイ。
【発明の詳細な説明】
【０００１】
【発明の属する技術分野】
この発明は、複数のコンデンサを単一の素体に形成してなるコンデンサアレイに関するものである。
【０００２】
【従来の技術】
近年、通信装置等の電子回路を用いた装置の小型化および集積化に伴い、これに搭載する電子部品についても小型化、集積化が行われている。この一例として、コンデンサ等のアレイ化が行われており、その需要は増大している。
【０００３】
従来のコンデンサアレイの構成について、図４〜図５を参照して説明する。
図４はコンデンサアレイの外観斜視図であり、図５はコンデンサアレイを構成する素体の分解斜視図である。
図４、図５において、２００は積層型のコンデンサアレイであり、２０１〜２０４はそれぞれ単位コンデンサである。また、２１は素体、２２ａ〜２２ｃは誘電体シート、２３ａ〜２３ｈは誘電体シート２２ａまたは２２ｂに形成された内部電極、２４ａ〜２４ｈは誘電体シート２２ａまたは２２ｂに形成された内部電極引き出し部、２５ａ〜２５ｈは素体２１の表面に形成された外部電極である。
【０００４】
図５に示すように、素体２１は、内部電極２３ａ〜２３ｄが形成されている誘電体シート２２ａと、内部電極２３ｅ〜２３ｈが形成されている誘電体シート２２ｂとを所定枚数交互に積層し、この上下から内部電極を形成していない誘電体シート２２ｃをそれぞれ所定枚数積層してなる。
【０００５】
誘電体シート２２ａには、表面に四つの内部電極２３ａ〜２３ｄを配列して形成するとともに、それぞれの内部電極２３ａ〜２３ｄに導通し、外部に接続ができるよう誘電体シート２２ａの端部にまで延長された四つの内部電極引き出し部２４ａ〜２４ｄを形成している。また、誘電体シート２２ｂには、表面に四つの内部電極２３ｅ〜２３ｈを配列して形成するとともに、それぞれの内部電極２３ｅ〜２３ｈに導通し、外部に接続ができるよう誘電体シート２２ｂの端部にまで延長された四つの内部電極引き出し部２４ｅ〜２４ｈを形成している。
【０００６】
素体２１の上面から或側面を経て下面に至り、内部電極引き出し部２４ａ〜２４ｄとそれぞれ導通する外部電極２５ａ〜２５ｄを形成している。また、同様に素体２１の上面から前記側面に対向する側面を経て下面に至り、内部電極引き出し部２４ｅ〜２４ｈとそれぞれ導通する外部電極２５ｅ〜２５ｈを形成している。
【０００７】
このような構造とすることにより、図４に示すように、コンデンサアレイ２００は、外部電極２５ａ，２５ｅを構成要素とする単位コンデンサ２０１と、外部電極２５ｂ，２５ｆを構成要素とするコンデンサ単位２０２と、外部電極２５ｃ，２５ｇを構成要素とする単位コンデンサ２０３と、外部電極２５ｄ，２５ｈを構成要素とする単位コンデンサ２０４とから構成される。
【０００８】
このようなコンデンサアレイでは、単位コンデンサを構成する内部電極の有効面積が同じであるため、全ての単位コンデンサの静電容量が略等しくなる。
【０００９】
このようなコンデンサアレイでは、異なる静電容量が必要な場合に、一つのコンデンサアレイでは対応できない。このような問題を解決する構造のコンデンサアレイが特開平１０−１０６８８７に開示されている。
【００１０】
前記発明では、図６に示すような構造をとっている。
図６はコンデンサアレイを構成する素体の分解斜視図である。
図６において、２１はコンデンサアレイを構成する素体、２２ａ〜２２ｃは誘電体シート、２３ａ〜２３ｈは誘電体シート２２ａまたは２２ｂに形成された内部電極、２４ａ〜２４ｈは誘電体シート２２ａまたは２２ｂに形成された内部電極引き出し部である。
【００１１】
図６に示すコンデンサアレイは、各単位コンデンサを構成する内部電極２２ａ〜２２ｄの面積を異ならせており、他の構成は図５に示したコンデンサアレイと同じである。このような構成とすると、各単位コンデンサを構成する内部電極の対向面積が異なることにより、各単位コンデンサの静電容量が異なる。これにより、異なる静電容量の単位コンデンサを複数備えるコンデンサアレイを構成することができる。
【００１２】
【発明が解決しようとする課題】
ところが、従来の静電容量の異なる単位コンデンサからなるコンデンサアレイでは、以下に示す解決すべき課題が存在した。
【００１３】
従来の静電容量の異なる単位コンデンサからなるコンデンサアレイでは、単位コンデンサの配列方向に、順に静電容量が変化していく。一方で、外観形状は略直方体であり、それぞれの外部電極が、内部電極および外部電極の配列方向に垂直で、コンデンサアレイの中心を含む面に対して、面対称に形成されている。
【００１４】
このため、コンデンサアレイを基板に実装する場合、実装方向を間違えると、所望の静電容量とは異なる静電容量の単位コンデンサを実装してしまう。
また、実装を間違えないようにするためには、コンデンサアレイに方向識別マークを設けたり、方向を一定にして供給させなければならず、作業コストが増大してしまう。
【００１５】
この発明の目的は、供給および実装が容易で、方向性の無い、単純な構造の、静電容量の異なる複数個の単位コンデンサからなるコンデンサアレイを構成することにある。
【００１６】
【課題を解決するための手段】
この発明は、コンデンサアレイを構成する３個以上の単位コンデンサを、内部電極同士の前記誘電体シートを挟んで対向する面積を異なることにより相違する、二種以上の静電容量とし、これら単位コンデンサのうち、静電容量の同じ単位コンデンサ同士を、単位コンデンサの配列方向に垂直で、且つ素体の中心を通る面に対して、面対称となる位置に配置し、各誘電体シートでは、単位コンデンサを構成する各内部電極が、単位コンデンサの配列方向に垂直で、且つ素体の中心を通る面に対して、面対称となる位置に配置されている。これにより、配置する方向や、取付位置で静電容量が異ならない、すなわち、方向性を有しないコンデンサアレイを構成する。
【００１７】
【発明の実施の形態】
第１の実施形態に係るコンデンサアレイの構成について、図１を参照して説明する。
図１はコンデンサアレイの外観斜視図である。
図２はコンデンサアレイを構成する素体の分解斜視図である。
図１，２において、１００はコンデンサアレイ、１０１〜１０４はコンデンサアレイ１００を構成する単位コンデンサ、１１はコンデンサアレイ１００を構成する素体、１２ａ〜１２ｃは誘電体シート、１３ａ〜１３ｈは誘電体シート１２ａまたは１２ｂに形成された内部電極、１４ａ〜１４ｈは誘電体シート１２ａまたは１２ｂに形成された内部電極引き出し部、１５ａ〜１５ｈは素体１１の側面に設けられた外部電極である。
【００１８】
図２に示すように、誘電体シート１２ａには、表面に四つの内部電極１３ａ〜１３ｄを配列して形成するとともに、それぞれの内部電極１３ａ〜１３ｄに導通し、外部に接続ができるよう誘電体シート１２ａの端部にまで延長された四つの内部電極引き出し部１４ａ〜１４ｄを形成している。ここで、両端の内部電極１３ａと内部電極１３ｄとを同面積となるように形成し、中央部の内部電極１３ｂと内部電極１３ｃとを、内部電極１３ａ，１３ｄよりも小さい面積で、同面積に形成している。また、誘電体シート１２ａの内部電極１３ａ〜１３ｄを、内部電極１３ａ〜１３ｄの配列方向に垂直で、且つ誘電体シート１２ａの中心を通る面を基準面として、面対称な形状に形成している。
【００１９】
誘電体シート１２ｂには、表面に四つの内部電極１３ｅ〜１３ｈを配列して形成するとともに、それぞれの内部電極１３ｅ〜１３ｈに導通し、外部電極に接続できるように誘電体シート１２ｂの端部にまで延長された四つの内部電極引き出し部１４ｅ〜１４ｈを形成している。ここで、両端の内部電極１３ｅと内部電極１３ｈとを同面積となるように形成し、中央部の内部電極１３ｆと内部電極１３ｇとを、内部電極１３ｅ，１３ｈよりも小さい面積で、同面積に形成している。また、誘電体シート１２ｂの内部電極１３ｅ〜１３ｈを、内部電極１３ｅ〜１３ｈの配列方向に垂直で、且つ誘電体シート１２ｂの中心を通る面を基準面として、面対称な形状に形成している。
【００２０】
次に、これらの誘電体シート１２ａ，１２ｂをそれぞれ交互に積層する。この時に内部電極１３ａと内部電極１３ｅとを、内部電極１３ｂと内部電極１３ｆとを、内部電極１３ｃと内部電極１３ｇとを、また、内部電極１３ｄと内部電極１３ｈとを、それぞれ積層方向に重なり合うようにする。
【００２１】
このように誘電体１２ａ，１２ｂを積層し、この上下に、内部電極を形成していない誘電体シート１２ｃを積層して、素体１１を構成する。
【００２２】
このように構成された素体１１の上面から或側面を経て下面に至り、内部電極引き出し部１４ａ〜１４ｄのそれぞれ導通する外部電極１５ａ〜１５ｄを形成している。また、同様に素体１１の上面から前記側面に対向する側面を経て下面に至り、内部電極引き出し部１４ｅ〜１４ｈとそれぞれ導通する外部電極１５ｅ〜１５ｈを形成している。ここで、各外部電極１５ａと１５ｄ、１５ｂと１５ｃ、１５ｅと１５ｈ、および１５ｆと１５ｇを、それぞれ前記基準面に対して面対称に形成している。
【００２３】
このような構造とすることにより、図１に示すように、外部電極１５ａ，１５ｅを構成要素とする単位コンデンサ１０１と、外部電極１５ｂ，１５ｆを構成要素とする単位コンデンサ１０２と、外部電極１５ｃ，１５ｇを構成要素とする単位コンデンサ１０３と、外部電極１５ｄ，１５ｈを構成要素とする単位コンデンサ１０４とから、コンデンサアレイ１００を構成している。
【００２４】
また、内部電極１３ａ，１３ｅ，１３ｄ，１３ｈを同じ面積となるように形成することにより、単位コンデンサ１０１と単位コンデンサ１０４との静電容量を一致させることができる。同様に内部電極１３ｂ，１３ｆ，１３ｃ，１３ｇを同じ面積となるように形成することにより、単位コンデンサ１０２と単位コンデンサ１０３との静電容量を一致させることができる。また、内部電極１３ａ，１３ｅ，１３ｄ，１３ｈの面積が内部電極１３ｂ，１３ｆ，１３ｃ，１３ｇの面積よりも大きいので、単位コンデンサ１０１，１０４の静電容量を単位コンデンサ１０２，１０３の静電容量よりも大きくとることができる。よって、方向識別マーク異なる静電容量を持つ単位コンデンサを複数備えたコンデンサアレイを形成することができる。
【００２５】
また、内部電極配列方向すなわち単位コンデンサの配列方向に垂直で、且つ素体の中心を通る面を基準面として、面対称の構造でコンデンサアレイが形成されているので、実装における方向性がない。よって、方向識別マークを表面に設けたり、実装時にコンデンサアレイを所定方向に並べる必要がなくなるため、実装が容易になる。また、コンデンサアレイの実装機への供給形態としてキャリアテープを用いるものの場合、キャリアテープ等にパッケージングする際に、素体の方向を問題とせずに、パッケージングすることができ、作業性が向上する。また、通常の方向性のない電子部品と同様に扱うことができるので、新規設備を導入することなく、既存の設備を用いることができる。
【００２６】
次に、第２の実施形態に係るコンデンサアレイの構成について、図３を参照して説明する。
図３はコンデンサアレイを構成する素体の分解斜視図である。
図３において、１１はコンデンサアレイを構成する素体、１２ａ〜１２ｃは誘電体シート、１３ａ〜１３ｊは誘電体シート１２ａまたは１２ｂに形成された内部電極、１４ａ〜１４ｊは誘電体シート１２ａまたは１２ｂに形成された内部電極引き出し部である。
【００２７】
図３に示すように、誘電体シート１２ａの表面には、内部電極１３ａ〜１３ｅを形成している。両端の内部電極１３ａと内部電極１３ｅとは同形状であり、これらと隣り合う内部電極１３ｂと内部電極１３ｄとは同形状である。内部電極１３ｃは内部電極１３ｂと１３ｄの間に形成されている。内部電極１３ａ，１３ｅの面積は内部電極１３ｂ，１３ｄの面積よりも大きく、内部電極１３ｃの面積を、内部電極１３ｂ，１３ｄの面積よりも小さく形成している。また、内部電極１３ａと内部電極１３ｅとを、内部電極の配列方向に垂直で、且つ誘電体シート１２ａの中心を通る面を基準面として、面対称に形成している。同様に、内部電極１３ｂと内部電極１３ｄについても、面対称に形成している。また、内部電極１３ｃを、前記基準面に対して面対称となる形状に形成している。また、内部電極引き出し部１４ａ〜１４ｅを前記内部電極１３ａ〜１３ｅにそれぞれ導通し、誘電体シート１２ａ表面の内部電極の配列方向に平行な一方の辺まで形成している。
【００２８】
誘電体シート１２ｂの表面には、誘電体シート１２ａと同様の構造を用いて、前記基準面について面対称で同形状の内部電極１３ｆ、１３ｊ、これらの内部電極より小さく同形状の内部電極１３ｇ，１３ｉ、更に小さい内部電極１３ｈを形成している。また、内部電極引き出し部１４ｆ〜１４ｊを、前記内部電極１３ｆ〜１３ｊにそれぞれ導通し、誘電体シート１２ｂ表面の内部電極の配列方向に平行な、前記誘電体シート１２ａの場合と反対側の辺まで形成している。
【００２９】
これら内部電極がそれぞれ形成された誘電体シート１２ａ，１２ｂをそれぞれ交互に積層し、この積層体の上下に内部電極を形成していない誘電体シート１２ｃをそれぞれ所定枚数積層することにより素体を形成する。この素体の表面に内部電極引き出し部１４ａ〜１４ｊのそれぞれに導通する外部電極１５ａ〜１５ｊ（図示せず）を形成し、コンデンサアレイを構成する。ここで、各外部電極１５ａと１５ｅ、１５ｂと１５ｄ、１５ｆと１５ｊ、および１５ｇと１５ｉを、それぞれ前記基準面に対して面対称で形成しており、外部電極１５ｃおよび１５ｈを、基準面を中心に面対称となる位置に形成している。
【００３０】
このような構造でコンデンサアレイを構成しても、静電容量の同じ単位コンデンサ同士が、基準面に対し面対称に配置されるので、方向性を無くすることができ、容易にパッケージングや実装を行うことができる。
【００３１】
なお、前述の実施形態においては、誘電体シート１２ａと１２ｂのいずれも、同じ形状・大きさの内部電極を配列・形成したものを示したが、例えば、誘電体シート１２ａには形状・大きさの異なる内部電極を配列・形成し、誘電体シート１２ｂには同じ形状・大きさの内部電極を配列・形成するようにしてもよく、これでも複数の静電容量の異なる単位コンデンサが得られることはいうまでもない。
【００３２】
また、前述の実施形態では、内部電極１３ａ〜１３ｊと内部電極引き出し部１４ａ〜１４ｊとを、異なる幅で形成しているが、同じ幅でももちろんよい。
さらに、前述の実施形態では、単位コンデンサが４個と５個のものを示したが、単位コンデンサは３個以上であればよい。特に、４個〜６個の場合に有効である。
【００３３】
【発明の効果】
この発明によれば、コンデンサアレイを構成する複数の単位コンデンサのうち、静電容量の同じ単位コンデンサ同士を、単位コンデンサの配列方向に垂直で、且つ素体の中心を通る面に対して、面対称となる位置に配置する。このことにより、配置する方向やプリント基板等への取付位置により、静電容量が異ならない、すなわち、方向性を有しないコンデンサアレイを構成される。よって、静電容量の異なる単位コンデンサを含むコンデンサアレイであっても、キャリアテープ等へのパッケージングや、実装基板等に実装することが容易にできる。さらに、コンデンサアレイ表面に方向識別マークを設ける必要もない。
【図面の簡単な説明】
【図１】第１の実施形態に係るコンデンサアレイの外観斜視図
【図２】第１の実施形態に係るコンデンサアレイを構成する素体の分解斜視図
【図３】第２の実施形態に係るコンデンサアレイを構成する素体の分解斜視図
【図４】従来のコンデンサアレイの外観斜視図
【図５】従来のコンデンサアレイを構成する素体の外観斜視図
【図６】従来の別のコンデンサアレイを構成する素体の外観斜視図
【符号の説明】
１００，２００−コンデンサアレイ
１０１〜１０４，２０１〜２０４−単位コンデンサ
１１，２１−素体
１２ａ〜１２ｃ，２２ａ〜２２ｃ−誘電体シート
１３ａ〜１３ｊ，２３ａ〜２３ｈ−内部電極
１４ａ〜１４ｊ，２４ａ〜２４ｈ−内部電極引き出し部
１５ａ〜１５ｈ，２５ａ〜２５ｈ−外部電極
【図１】
0004769404.tif 000002
【図２】
0004769404.tif 000003
【図３】
0004769404.tif 000004
【図４】
0004769404.tif 000005
【図５】
0004769404.tif 000006
【図６】
0004769404.tif 000007